(57)【要約】【課題】機器端末に応じた通信設定および制御設定等を簡易に行うことができる。【解決手段】設定用通信装置２０は、情報端末１０と第１通信方式で通信する第１通信部２１と、設備システム５に含まれる機器端末３０ａと第１通信方式とは異なる第２通信方式で通信する第２通信部２２と、機器端末３０ａと第１通信方式および第２通信方式のいずれともと異なる第３通信方式で通信する第３通信部２３とを備える。【選択図】図１
2020077624.tif 000002
【特許請求の範囲】
【請求項１】
情報端末と第１通信方式で通信する第１通信部と、
設備システムに含まれる機器端末と前記第１通信方式とは異なる第２通信方式で通信する第２通信部と、
前記機器端末と前記第１通信方式および前記第２通信方式のいずれとも異なる第３通信方式で通信する第３通信部と
を備える設定用通信装置。
【請求項２】
前記第１通信部は、無線を用いた前記第１通信方式で通信を行う
請求項１に記載の設定用通信装置。
【請求項３】
前記第１通信部は、２．４ＧＨｚ帯または５ＧＨｚ帯の周波数を用いた前記第１通信方式で通信を行い、
前記第２通信部は、赤外線を用いた前記第２通信方式で通信を行い、
前記第３通信部は、９２０ＭＨｚ帯の特定小電力無線を用いた前記第３通信方式で通信を行う
請求項１に記載の設定用通信装置。
【請求項４】
前記第１通信部は、２．４ＧＨｚ帯または５ＧＨｚ帯の周波数を用いた前記第１通信方式で通信を行い、
前記第２通信部は、赤外線を用いた前記第２通信方式で通信を行い、
前記第３通信部は、有線を用いた前記第３通信方式で通信を行う
請求項１に記載の設定用通信装置。
【請求項５】
前記第２通信部は、前記第２通信方式を用いて、前記機器端末の通信設定に関する設定情報の通信を前記機器端末と行う
請求項１〜４のいずれか１項に記載の設定用通信装置。
【請求項６】
前記第３通信部は、前記第３通信方式を用いて、前記機器端末の通信設定または制御設定に関する設定情報の通信を前記機器端末と行う
請求項１〜４のいずれか１項に記載の設定用通信装置。
【請求項７】
前記機器端末は、照明機器、照明コントローラ、空調機器、空調コントローラおよび人感センサの少なくとも１つである
請求項１〜６のいずれか１項に記載の設定用通信装置。
【請求項８】
さらに、所定の操作を受け付ける操作入力部を備え、
前記第２通信部および前記第３通信部の少なくとも一方は、前記操作入力部が所定の操作を受け付けた後、前記機器端末と通信する
請求項１〜７のいずれか１項に記載の設定用通信装置。
【請求項９】
さらに、所定の操作を受け付ける操作入力部を備え、
前記第２通信部および前記第３通信部の少なくとも一方は、前記操作入力部が所定の操作を受け付けた後、前記第１通信部が前記情報端末から送信された所定の情報を受信した場合に、前記機器端末と通信する
請求項１〜８のいずれか１項に記載の設定用通信装置。
【請求項１０】
前記所定の情報は、前記操作入力部が前記所定の操作を受け付けたことを前記第１通信部が前記情報端末に通知することで、前記情報端末から前記第１通信部に送信される
請求項９に記載の設定用通信装置。
【請求項１１】
さらに、前記第１通信部を介して前記情報端末から取得した情報を記憶する記憶部を備える
請求項１〜１０のいずれか１項に記載の設定用通信装置。
【請求項１２】
前記第１通信部を介して取得した情報は、前記機器端末の通信設定または制御設定に関する設定情報を含む
請求項１１に記載の設定用通信装置。
【請求項１３】
前記第１通信方式、前記第２通信方式および前記第３通信方式にて送受信されるそれぞれの通信情報に含まれる前記機器端末の制御コマンドは、共通性を有する
請求項１〜１２のいずれか１項に記載の設定用通信装置。
【請求項１４】
前記第１通信方式の通信プロトコルに基づいて作成される前記機器端末の制御コマンドは、前記第２通信方式または前記第３通信方式のそれぞれの通信プロトコルに基づいて作成される前記機器端末の制御コマンドと同じコマンドを含む
請求項１〜１２のいずれか１項に記載の設定用通信装置。
【請求項１５】
請求項１〜１４のいずれか１項に記載の設定用通信装置と、
前記機器端末と、
前記情報端末と
を備える通信システム。
【請求項１６】
請求項１〜１４のいずれか１項に記載の設定用通信装置と通信する情報端末の制御方法であって、
前記機器端末の通信設定または制御設定に関する設定情報を取得する取得ステップと、
前記取得ステップにて取得した前記設定情報を記憶する記憶ステップと
を含む情報端末の制御方法。
【請求項１７】
さらに、前記記憶ステップにて記憶した前記設定情報を、前記第１通信方式を用いて前記設定用通信装置に送信するステップを含む
請求項１６に記載の情報端末の制御方法。
【請求項１８】
請求項１６または１７に記載の情報端末の制御方法をコンピュータに実行させるためのプログラム。
【発明の詳細な説明】
【技術分野】
【０００１】
本開示は、機器端末の通信設定等を行う設定用通信装置、この設定用通信装置を備える通信システム、情報端末の制御方法およびプログラムに関する。
【背景技術】
【０００２】
従来、照明システムの制御設定を行うための設定用通信装置が知られている。この種の設定用通信装置の一例として、特許文献１には、照明システムが備える機器端末（照明機器端末）の制御設定を行う設定用通信装置（外部設定器）が開示されている。この照明システムでは、上記設定用通信装置を用いて、機器端末の制御データの変更を行っている。
【先行技術文献】
【特許文献】
【０００３】
【特許文献１】特開２００１−１０２１８３号公報
【発明の概要】
【発明が解決しようとする課題】
【０００４】
機器端末の多種多様化が進むなか、同じ設定用通信装置を用いて各種各様の機器端末に制御設定等を行いたいという要望がある。しかしながら、特許文献１に開示された設定用通信装置では、設定用通信装置にて予め定められた設定しか行うことができず、各機器端末に応じた設定を行い難いという問題がある。
【０００５】
そこで、本開示は、機器端末に応じた設定を簡易に行うことができる設定用通信装置および通信システムを提供することを目的とする。また、本開示は、設定用通信装置を用いて、機器端末に応じた設定を簡易に行うことができる情報端末の制御方法およびプログラムを提供すること目的とする。
【課題を解決するための手段】
【０００６】
本開示の設定用通信装置の一態様は、情報端末と第１通信方式で通信する第１通信部と、設備システムに含まれる機器端末と前記第１通信方式とは異なる第２通信方式で通信する第２通信部と、前記機器端末と前記第１通信方式および前記第２通信方式のいずれとも異なる第３通信方式で通信する第３通信部とを備える。
【０００７】
本開示の通信システムの一態様は、上記設定用通信装置と、上記機器端末と、上記情報端末とを備える。
【０００８】
本開示の情報端末の制御方法の一態様は、上記設定用通信装置と通信する情報端末の制御方法であって、上記機器端末の通信設定または制御設定に関する設定情報を取得する取得ステップと、前記取得ステップにて取得した前記設定情報を記憶する記憶ステップとを含む。
【０００９】
本開示のプログラムの一態様は、上記情報端末の制御方法をコンピュータに実行させるためのプログラムである。
【発明の効果】
【００１０】
本開示に係る設定用通信装置等は、機器端末に応じた設定を簡易に行うことができる。
【図面の簡単な説明】
【００１１】
【図１】図１は、実施の形態の第１実施例に係る通信システムが備える機器端末、設定用通信装置および情報端末を示す概略図である。
【図２】図２は、実施の形態の第１実施例に係る通信システムが備える機器端末、設定用通信装置および情報端末を示すブロック構成図である。
【図３】図３は、実施の形態の情報端末を示す概略図である。
【図４】図４は、実施の形態の設定用通信装置の外観を示す図である。
【図５】図５は、実施の形態の設定用通信装置にて送受信される通信情報の構造を示す概念図である。
【図６】図６は、実施の形態の第１実施例に係る情報端末の制御方法を示すフローチャートである。
【図７】図７は、実施の形態の第１実施例に係る通信システムの動作を示すシーケンス図である。
【図８】図８は、実施の形態の第１実施例に係る情報端末に表示される画像を示す図である。
【図９】図９は、実施の形態の第１実施例に係る情報端末に表示される画像の他の例を示す図である。
【図１０】図１０は、実施の形態の第２実施例に係る通信システムが備える機器端末、設定用通信装置および情報端末を示す概略図である。
【図１１】図１１は、実施の形態の第２実施例に係る通信システムが備える機器端末、設定用通信装置および情報端末を示すブロック構成図である。
【図１２】図１２は、実施の形態の第２実施例に係る通信システムの動作を示すシーケンス図である。
【図１３】図１３は、実施の形態の第２実施例に係る情報端末に表示される画像を示す図である。
【図１４】図１４は、実施の形態の第３実施例に係る通信システムが備える機器端末、設定用通信装置および情報端末を示す概略図である。
【図１５】図１５は、実施の形態の第３実施例に係る通信システムが備える機器端末、設定用通信装置および情報端末を示すブロック構成図である。
【図１６】図１６は、実施の形態の情報端末に表示される画像の一例を示す図である。
【図１７】図１７は、実施の形態の情報端末に表示される画像の一例を示す図である。
【図１８】図１８は、図１７の情報端末の画面に表示されるマークを示す図である。
【図１９】図１９は、実施の形態の情報端末に表示される画像の一例を示す図である。
【図２０】図２０は、実施の形態の情報端末に表示される画像の一例を示す図である。
【図２１】図２１は、実施の形態の情報端末に表示される画像の一例を示す図である。
【図２２】図２２は、実施の形態の情報端末に表示される画像の一例を示す図である。
【図２３】図２３は、実施の形態の情報端末に表示される画像の一例を示す図である。
【図２４】図２４は、実施の形態の情報端末に表示される画像の一例を示す図である。
【図２５】図２５は、実施の形態に係る設定用通信装置の外観を示す斜視図である。
【図２６】図２６は、実施の形態に係る設定用通信装置を示す六面図である。
【発明を実施するための形態】
【００１２】
前述したように従来の設定用通信装置では、設定用通信装置にて予め定められた設定しか行うことができず、各機器端末に応じた設定を行い難い。それを解決するため、本実施の形態の通信システムは、各機器端末に応じた設定の編集をスマートフォンなどの情報端末で行い、情報端末にて編集された設定情報を、各機器端末の通信方式に適応した設定用通信装置を用いて各機器端末に送信する形態を有している。この通信システムは、多くの実施例を取り得るが、本実施の形態では多くの実施例のうち、以下に示す第１実施例、第２実施例および第３実施例を例に挙げて説明する。
【００１３】
以下、実施の形態について、図面を参照しながら具体的に説明する。なお、以下で説明する実施の形態は、いずれも本開示の一具体例を示すものである。以下の実施の形態で示される数値、形状、材料、構成要素、構成要素の配置位置および接続形態、ステップ、ステップの順序などは、一例であり、本開示を限定する主旨ではない。また、以下の実施の形態における構成要素のうち、本開示の一形態に係る実現形態を示す独立請求項に記載されていない構成要素については、任意の構成要素として説明される。本開示の実現形態は、現行の独立請求項に限定されるものではなく、他の独立請求項によっても表現され得る。
【００１４】
なお、各図は模式図であり、必ずしも厳密に図示されたものではない。また、各図において、実質的に同一の構成に対しては同一の符号を付しており、重複する説明は省略または簡略化される場合がある。
【００１５】
（実施の形態）
［１．第１実施例に係る通信システムの概略構成］
まず、実施の形態の第１実施例に係る通信システムの概略構成について、図１および図２を参照しながら説明する。
【００１６】
図１は、第１実施例に係る通信システム１が備える機器端末３０ａ、３０ｂ、３０ｃ、設定用通信装置２０および情報端末１０を示す概略図である。図２は、通信システム１が備える機器端末３０ａ〜３０ｃ、設定用通信装置２０および情報端末１０を示すブロック構成図である。
【００１７】
図１および図２に示すように、第１実施例の通信システム１は、情報端末１０と、設定用通信装置２０と、設備システム５とを備える。設備システム５は、複数の機器端末３０ａ、３０ｂ、３０ｃと、管理装置４０とを備える。
【００１８】
機器端末３０ａ〜３０ｃは、他の機器と通信可能な電気機器であり、例えば、照明機器、照明コントローラ、空調機器、空調コントローラ、人感センサまたは調光センサである。第１実施例では、機器端末３０ａおよび３０ｂが照明機器であり、機器端末３０ｃが照明コントローラである例について説明する。なお、図１では、３台の機器端末３０ａ〜３０ｃが建物の造営材（天井など）５０に設置されているが、実際には１００台以上の機器端末が設置されることがある。
【００１９】
管理装置４０は、機器端末３０ａ〜３０ｃの作動制御を行うための管理サーバである。管理装置４０は、各機器端末３０ａ〜３０ｃと有線によって接続されている。なお、管理装置４０は、機器端末の台数に応じて、建物内に複数設けられていてもよい。機器端末３０ｃが照明コントローラである場合、機器端末３０ｃは各機器端末３０ａ、３０ｂに無線で接続可能であってもよい。
【００２０】
情報端末１０は、例えば、タブレット端末やスマートフォンである。情報端末１０は、機器端末３０ａ〜３０ｃの通信設定または制御設定に関する設定情報を編集する携帯端末である。
【００２１】
通信設定は、例えば、通信を行うために必要な識別情報を設定するアドレス設定、機器端末３０ａと他の機器端末３０ｃとの紐づけを行うペアリング設定、アドレス設定によって設定されたアドレスと建物内における機器端末３０ａ〜３０ｃのレイアウト情報とを関連付けるマッピング設定である。制御設定は、例えば、機器端末３０ａの調光、調色、点灯、消灯の制御、スケジュール制御、および、群制御（グループ制御）に関する設定である。
【００２２】
情報端末１０には、設定情報を編集するためのアプリケーションソフトが格納されている。情報端末１０を使用するユーザは、アプリケーションソフトを用いて設定情報を編集することで、各種の機器端末に応じた設定情報の編集を簡易に行うことができる。
【００２３】
設定用通信装置２０は、情報端末１０にて編集された設定情報を、各機器端末３０ａ〜３０ｃに対応した通信方式を用いて、各機器端末３０ａ〜３０ｃに送信する設定器（機器設定装置）である。
【００２４】
例えば設定用通信装置２０は、第１通信方式の通信ｃ１の一例である２．４ＧＨｚ帯または５ＧＨｚ帯の周波数を用いた無線通信にて、情報端末１０で編集された設定情報を情報端末１０から受信する。また、設定用通信装置２０は、第２通信方式の通信ｃ２の一例である赤外線通信にて、上記設定情報を各機器端末３０ａ〜３０ｃに送信する。
【００２５】
具体的にはユーザは、情報端末１０と設定用通信装置２０との距離が５０ｃｍ以内となるように、片手で情報端末１０を所持し、もう片手で設定用通信装置２０を所持する。そして、ユーザは、情報端末１０および設定用通信装置２０の両方を見ながら設定用通信装置２０を指で操作し、情報端末１０から取り込んだ上記設定情報を機器端末３０ａ〜３０ｃのそれぞれに送信する。この設定用通信装置２０によれば、機器端末３０ａ〜３０ｃの通信設定または制御設定を簡易に行うことができる。
【００２６】
［２．第１実施例に係る機器端末、設定用通信装置、情報端末の各構成］
次に、第１実施例に係る機器端末３０ａ〜３０ｃ、設定用通信装置２０、情報端末１０の各構成について詳しく説明する。
【００２７】
前述したように、例えば、機器端末３０ａ、３０ｂは照明機器であり、機器端末３０ｃは照明コントローラである。なお、ここでは機器端末３０ａ〜３０ｃのうち、機器端末３０ａを例に挙げて説明する。
【００２８】
機器端末３０ａは、光源である出力部３８と、機器制御部３５と、機器通信部３１とを備えている。出力部３８および機器通信部３１のそれぞれは、機器制御部３５に接続されている。
【００２９】
機器通信部３１は、赤外線モジュールおよび無線モジュールを有している。機器通信部３１は、赤外線を用いた通信ｃ２で、設定用通信装置２０と通信可能である。また、機器通信部３１は、第３通信方式の通信ｃ３の一例である９２０ＭＨｚ帯の特定小電力無線で、設定用通信装置２０と通信可能である。機器通信部３１は、設定用通信装置２０から送信された通信設定または制御設定に関する設定情報を受信する。
【００３０】
機器制御部３５は、ＣＰＵ（Ｃｅｎｔｒａｌ  Ｐｒｏｃｅｓｓｉｎｇ  Ｕｎｉｔ）、メモリ、および、メモリに格納されたプログラムなどによって構成されている。機器制御部３５のメモリには、自身の通信アドレスが保存されている。通信アドレスは、例えば、機器端末３０ａのＭＡＣアドレス（Ｍｅｄｉａ  Ａｃｃｅｓｓ  Ｃｏｎｔｒｏｌ  ａｄｄｒｅｓｓ）であってもよい。
【００３１】
機器制御部３５は、機器端末３０ａの各種設定が行われる際に、機器通信部３１で受信した設定情報を取得する。例えば、機器端末３０ａにアドレス設定が行われる際、機器端末３０ａは、設定用通信装置２０から送信された管理アドレスを取得する。管理アドレスは、機器端末３０ａ〜３０ｃを管理するために割り当てられたアドレスであり、例えば、簡易な数字またはアルファベットで構成される。機器制御部３５は、上記設定情報に基づいて出力部３８を制御する。
【００３２】
出力部３８は、例えば、白色光、赤色光、緑色光または青色光を発する複数の発光ダイオードを有している。出力部３８は、機器制御部３５によって調光制御および調色制御される。
【００３３】
図３は、情報端末１０を示す概略図である。
【００３４】
情報端末１０は、機器端末３０ａの通信設定または制御設定などの設定情報を編集する。情報端末１０は、通信部１１、制御部１５、表示入力部１７を備えている。通信部１１および表示入力部１７のそれぞれは、制御部１５に接続されている。
【００３５】
通信部１１は、無線モジュールを有している。通信部１１は、第１通信方式の通信ｃ１にて設定用通信装置２０と通信可能である。第１通信方式とは、例えば、ＩＥＥＥ８０２．１５．１にて規格化された２．４ＧＨｚ帯または５ＧＨｚ帯の周波数を用いた通信方式である。なお、通信部１１は、設定用通信装置２０とは無線で通信するが、機器端末３０ａ〜３０ｃとは無線で通信しない。
【００３６】
表示入力部１７は、例えば、タッチパネルである。表示入力部１７は、機器端末３０ａのレイアウト情報、機器端末３０ａの管理アドレスに関する情報、および、機器端末３０ａの動作情報等を表示および入力するユーザインターフェースである。ユーザは、表示入力部１７を用いて、各機器端末３０ａの管理アドレス等の設定情報を編集することができる。例えば、ユーザは、図３の（ａ）に示すように、機器端末３０ａには「０００１」という管理アドレスを割り当て、機器端末３０ｂには、「０００２」という管理アドレスを割り当てることができる。情報端末１０にて編集された設定情報は、制御部１５のメモリに記憶される。
【００３７】
制御部１５は、ＣＰＵ、メモリおよびメモリに格納されたプログラムなどによって構成されている。制御部１５のメモリには、設定情報を編集するためのアプリケーションソフトが格納されている。このアプリケーションソフトは、アプリケーションソフトの提供元によって適宜バージョンアップされる。ユーザは、このアプリケーションソフトを用いることで、多種多様な機器端末に応じた設定情報の編集を簡易に行うことができる。
【００３８】
制御部１５は、機器端末３０ａの各種設定が行われる際に、通信部１１および設定用通信装置２０を介して機器端末３０ａに通信設定または制御設定に関する設定情報を送信する。例えば、機器端末３０ａにアドレス設定が行われる際、情報端末１０は、表示入力部１７によって編集され、メモリに記憶された管理アドレスを送信する。
【００３９】
表示入力部１７には、図３の（ｂ）に示すように、情報端末１０および設定用通信装置２０の間の通信ｃ１を開始するための通信開始キー１７ａが設けられている。情報端末１０は、表示入力部１７を介して通信を開始するための操作を受け付けることで、設定用通信装置２０と通信確立する。
【００４０】
制御部１５は、通信確立された状態にて、設定用通信装置２０がユーザから所定の操作を受け付けたか否かを監視する。設定用通信装置２０は、所定の操作を受け付けた場合に、操作入力を受け付けたことを示す受付信号を、情報端末１０に送信する。情報端末１０は、受付信号を受信すると、すなわち設定用通信装置２０が所定の操作を受け付けると、メモリに記憶された設定情報を設定用通信装置２０に送信する。具体的には、制御部１５は、通信設定に関する設定情報として、管理アドレスを設定用通信装置２０に送信する。
【００４１】
設定用通信装置２０は、情報端末１０にて編集された設定情報を、機器端末３０ａに対応した通信方式を用いて、機器端末３０ａに送信する。なお、設定用通信装置２０は、上記設定情報を機器端末３０ａに転送するための中継器としての機能も備えている。
【００４２】
図４は、設定用通信装置２０の外観を示す図である。
【００４３】
設定用通信装置２０は、第１通信部２１と、第２通信部２２と、第３通信部２３と、装置制御部２５と、記憶部２６と、操作入力部２７とを備える。第１通信部２１、第２通信部２２、第３通信部２３、記憶部２６、操作入力部２７のそれぞれは、装置制御部２５に接続されている。
【００４４】
第１通信部２１は、無線モジュールを有している。第１通信部２１は、情報端末１０と第１通信方式で通信ｃ１を行うことが可能である。
【００４５】
第２通信部２２は、赤外線ＬＥＤなどの発信器を有している。第２通信部２２は、機器端末３０ａと第２通信方式で通信ｃ２を行うことが可能である。具体的には、第２通信部２２は、機器端末３０ａと、機器端末３０ａの通信設定または制御設定に関する情報通信を行う。第２通信方式の通信ｃ２は、指向性を有する赤外線通信であるので、ユーザは第２通信部２２を機器端末３０ａに向けた状態で通信することで、機器端末３０ａのみに必要な情報を伝達することができる。
【００４６】
第３通信部２３は、無線モジュールを有している。第３通信部２３は、各機器端末３０ａと第３通信方式で通信ｃ３を行うことが可能である。なお、第３通信方式の通信ｃ３は、設定用通信装置２０および機器端末３０ａが相手の通信アドレスを互いに保有している場合に通信確立される。
【００４７】
操作入力部２７は、設定用通信装置２０の筐体の表面に設けられている。操作入力部２７は、例えば、１つの操作キーによって構成されている。
【００４８】
記憶部２６は、第１通信部２１を介して情報端末１０から取得した情報を記憶する。この情報は、情報端末１０にて編集された上記設定情報を含む。また、記憶部２６には、設定用通信装置２０の自身の通信アドレスが保存されている。この通信アドレスは、設定用通信装置２０のＭＡＣアドレスであってもよい。
【００４９】
装置制御部２５は、ＣＰＵ、メモリおよびメモリに格納されたプログラムなどによって構成されている。
【００５０】
装置制御部２５は、機器端末３０ａの各種設定が行われる際に、情報端末１０から送信された設定情報を受け取り、瞬時に、受け取った設定情報を機器端末３０ａに転送する。例えば、機器端末３０ａにアドレス設定が行われる際、装置制御部２５は、情報端末１０から受け取った管理アドレスを機器端末３０ａに送信する。
【００５１】
具体的には、装置制御部２５は、操作入力部２７がユーザから所定の操作を受け付けた後、前述した受付信号を、第１通信部２１を介して情報端末１０に送信する。情報端末１０は、受付信号を受信すると、メモリに記憶された設定情報を設定用通信装置２０に送信する。そして装置制御部２５は、第１通信部２１を介して受信した設定情報を、第２通信部２２を介して機器端末３０ａに送信する。
【００５２】
なお、上記では装置制御部２５が上記受付信号を情報端末１０に送信する例を示したがそれに限られない。例えば、情報端末１０が設定用通信装置２０に対して第１通信方式を用いて定期的にチェックを行い、設定用通信装置２０が所定の操作を受け付けたか否かを確認してもよい。
【００５３】
すなわち、第２通信部２２は、操作入力部２７が所定の操作を受け付けた後であって、第１通信部２１が情報端末１０から送信された所定の情報を受信した場合に、機器端末３０ａと通信する。所定の情報とは、機器端末３０ａの通信設定または制御設定に関する設定情報である。この所定の情報は、操作入力部２７が所定の操作を受け付けたことを第１通信部２１が情報端末１０に通知することで、情報端末１０から第１通信部２１に送信される。
【００５４】
また、装置制御部２５は、設定用通信装置２０から管理アドレスを送信する際に、設定用通信装置２０の通信アドレスを同時に送信する。それに対し、機器端末３０ａは、自身の通信アドレスを設定用通信装置２０に返信する。これにより、設定用通信装置２０および機器端末３０ａが相手の通信アドレスを互いに保有する状態となり、設定用通信装置２０および機器端末３０ａが第３通信方式による通信ｃ３で通信確立される。
【００５５】
このように、第１実施例の設定用通信装置２０は、情報端末１０と第１通信方式で通信する第１通信部２１と、設備システム５に含まれる機器端末３０ａと第１通信方式とは異なる第２通信方式で通信する第２通信部２２と、機器端末３０ａと第１通信方式および第２通信方式のいずれとも異なる第３通信方式で通信する第３通信部２３とを備えている。
【００５６】
これによれば、設定用通信装置２０は、情報端末１０から第１通信方式にて受信した情報を、第２通信方式にて機器端末３０ａに送信することができる。また、設定用通信装置２０は、第３通信方式にて機器端末３０ａと情報通信をすることができる。例えば、この設定用通信装置２０によれば、情報端末１０にて編集された通信設定および制御設定に関する設定情報を、第１通信方式にて受け取り、第２通信方式にて機器端末３０ａに送信することが可能となる。また、その後、第３通信方式にて上記設定情報を簡易に変更することが可能となる。これにより、機器端末３０ａに応じた設定を簡易に行うことができる。
【００５７】
また、設定用通信装置２０にて送受信される通信情報は、以下に示す特徴を有している。
【００５８】
図５は、設定用通信装置２０にて送受信される通信情報の構造を示す概念図である。
【００５９】
図５には、第１通信方式にて送受信される通信情報ｉｃ１、第２通信方式にて送受信される通信情報ｉｃ２、第３通信方式にて送受信される通信情報ｉｃ３が示されている。この図に示されるように、各通信情報ｉｃ１、ｉｃ２、ｉｃ３に含まれる機器端末３０ａの制御コマンドは、共通性を有する。具体的には、第１通信方式の通信プロトコルに基づいて作成される機器端末３０ａの制御コマンドは、第２通信方式または第３通信方式のそれぞれの通信プロトコルに基づいて作成される機器端末３０ａの制御コマンドと同じコマンドを含んでいる。このように各通信情報ｉｃ１、ｉｃ２、ｉｃ３に含まれる機器端末３０ａの制御コマンドを共通化することで、異なる通信方式の間で行われるコマンドの変換プロセスを省略することができる。
【００６０】
［３．第１実施例に係る情報端末の制御方法］
次に、機器端末３０ａに通信設定等が行われる際の情報端末１０の制御方法について、図６を参照しながら説明する。
【００６１】
図６は、第１実施例に係る情報端末１０の制御方法を示すフローチャートである。
【００６２】
まず、情報端末１０は、設定用通信装置２０と通信確立する（ステップＳ１０）。具体的に情報端末１０は、通信開始キー１７ａ（図３の（ｂ）参照）による操作を受け付けることで、設定用通信装置２０と通信確立する。情報端末１０は、設定用通信装置２０と通信確立した状態にて、設定用通信装置２０が所定の操作を受け付けたか否かを監視する。
【００６３】
一方で、情報端末１０は、機器端末３０ａに設定すべき設定情報を取得する（ステップＳ２０）。この設定情報は、機器端末３０ａの通信設定または制御設定に関する設定情報である。これらの設定情報は、表示入力部１７を用いて入力される。情報端末１０には、例えば通信設定に関する設定情報として、図３の（ａ）に示すように、機器端末３０ａの管理アドレスが入力される。
【００６４】
次に、情報端末１０は、取得した設定情報を記憶する（ステップＳ３０）。具体的には、情報端末１０は、ステップＳ２０にて取得した設定情報を制御部１５のメモリに記憶する。
【００６５】
次に、情報端末１０は、設定用通信装置２０と通信確立された状態にて、設定用通信装置２０が所定の操作を受け付けたか否かを判断する（ステップＳ４０）。具体的に情報端末１０は、前述した受付信号を受信したか否かによって、所定の操作を受け付けたか否かを判断する。設定用通信装置２０が所定の操作を受け付けていない場合は（Ｓ４０にてＮｏ）、ステップＳ４０に戻る。
【００６６】
設定用通信装置２０が所定の操作を受け付けた場合は（Ｓ４０にてＹｅｓ）、情報端末１０に記憶した設定情報を設定用通信装置２０に送信する（ステップＳ５０）。具体的には、情報端末１０は、アドレス設定に関する情報として、管理アドレスを設定用通信装置２０に送信する。以降、ステップＳ１０〜Ｓ５０が繰り返されることで、複数の機器端末に対する通信設定等が行われる。
【００６７】
［４．第１実施例に係る通信システムの動作］
上記では、通信システム１が備える情報端末１０の制御方法について説明したが、以下では、通信システム１の全体の動作について説明する。
【００６８】
図７は、第１実施例に係る通信システム１の動作を示すシーケンス図である。図８は、情報端末１０に表示される画像を示す図である。
【００６９】
通信システム１は、情報端末１０、設定用通信装置２０および複数の機器端末３０ａ、３０ｂを備えている。情報端末１０は、設定用通信装置２０と通信確立し、設定用通信装置２０が所定の操作を受け付けたか否かを監視する状態となっている。
【００７０】
まず、情報端末１０の表示入力部１７に、図８の（ａ）に示すように、設定用通信装置２０に対する操作入力を促す画面が表示される。実際にはユーザに促す画面として、設定用通信装置２０を、通信設定等の設定対象である機器端末に向け、その後、設定用通信装置２０の操作入力部２７を押すように促す画面が表示される。この画面を見たユーザは、図１の（ａ）に示すように、情報端末１０および設定用通信装置２０を、設定対象である機器端末３０ａの下に移動させる。
【００７１】
次に、設定用通信装置２０の操作入力部２７が押されると、操作入力部２７が操作されたことを示す受付信号が情報端末１０に送信される（通信ｃ１）。情報端末１０は、受付信号を受け付けると、機器端末３０ａに関する設定情報（例えば機器端末３０ａの管理アドレスおよびレイアウト情報）を設定用通信装置２０に送信する（通信ｃ１）。
【００７２】
設定用通信装置２０は、この設定情報を受け付けると、図８の（ｂ）に示すように設定情報を機器端末３０ａに送信する（通信ｃ２）。そして、機器端末３０ａは、受け付けた設定情報を機器制御部３５のメモリに記憶する。また、機器端末３０ａは、設定情報を受け付けた場合、点滅等の動作を行うことで、設定情報を受け付けたことを外部に報知する。これにより、機器端末３０ａに対する管理アドレスの設定が終了する。
【００７３】
次に、ユーザは、図１の（ｂ）に示すように、情報端末１０および設定用通信装置２０を、次の設定対象である機器端末３０ｂの下に移動させる。ユーザは、これらの操作を繰り返すことで、複数の機器端末３０ａ、３０ｂに通信設定等を行うことができる。
【００７４】
なお、設定用通信装置２０は、上記設定情報を機器端末３０ａに送信するときに、自身の通信アドレスを送信してもよい。例えば、設定用通信装置２０が自身の通信用のアドレスを機器端末３０ａに送信し（通信ｃ２）、また、機器端末３０ａが機器端末３０ａの通信アドレスを設定用通信装置２０に返信することで（通信ｃ３）、その後は、設定用通信装置２０と機器端末３０ａとが第３通信方式による通信ｃ３で互いに通信可能となる。
【００７５】
また、設定用通信装置２０は、設定情報を受け取ったことを示す受領情報を機器端末３０ａから受信し（通信ｃ３）、その受領情報を情報端末１０に送信してもよい（通信ｃ１）。情報端末１０は、表示入力部１７に受領情報を表示することで、設定情報が機器端末３０ａに送信できたことを報知することができる。
【００７６】
また、情報端末１０に格納されるアプリケーションソフトは、設定情報を送信した後に管理アドレスを自動的にインクリメントする機能、例えば、次に通信設定する管理アドレスを「０００１」から「０００２」に自動で変更する機能を有していてもよい。これにより、管理アドレスの編集入力を省力化することができる。
【００７７】
また、情報端末１０は、設定情報を設定対象と異なる機器端末に設定した場合に、それを取り消すための機能を有していてもよい。図９に、間違った設定を取り消すための一例を示す。
【００７８】
図９は、第１実施例に係る情報端末１０に表示される画像の他の例を示す図である。ユーザは、図９の（ａ）に示すように「設定やり直し」キーを押した後、図９の（ｂ）に示すように「取り消し」キーを押すことで、既に行った設定を取り消すことができる。
【００７９】
［５．効果等］
本実施の形態に係る設定用通信装置２０は、情報端末１０と第１通信方式で通信する第１通信部２１と、設備システム５に含まれる機器端末３０ａと第１通信方式とは異なる第２通信方式で通信する第２通信部２２と、機器端末３０ａと第１通信方式および第２通信方式のいずれとも異なる第３通信方式で通信する第３通信部２３とを備えている。
【００８０】
これによれば、設定用通信装置２０は、情報端末１０から第１通信方式にて受信した情報を、第２通信方式にて機器端末３０ａに送信することができる。また、設定用通信装置２０は、第３通信方式にて機器端末３０ａと情報通信をすることができる。例えば、この設定用通信装置２０によれば、情報端末１０にて編集された通信設定および制御設定に関する設定情報を、第１通信方式にて受け取り、第２通信方式にて機器端末３０ａに送信することが可能となる。また、その後、第３通信方式にて上記設定情報を簡易に変更することが可能となる。これにより、機器端末３０ａに応じた設定を簡易に行うことができる。
【００８１】
また、第１通信部２１は、無線を用いた第１通信方式で通信ｃ１を行ってもよい。
【００８２】
これによれば、情報端末１０および設定用通信装置２０を通信する際の利便性が向上する。これにより、機器端末３０ａに応じた設定を簡易に行うことができる。
【００８３】
また、第１通信部２１は、２．４ＧＨｚ帯または５ＧＨｚ帯の周波数を用いた第１通信方式で通信ｃ１を行い、第２通信部２２は、赤外線を用いた第２通信方式で通信ｃ２を行い、第３通信部２３は、９２０ＭＨｚ帯の特定小電力無線を用いた第３通信方式で通信ｃ３を行ってもよい。
【００８４】
例えば、第１通信部２１にて２．４ＧＨｚ帯または５ＧＨｚ帯の周波数を用いた通信ｃ１を行うことで、情報端末１０および設定用通信装置２０の間で情報を交換する際の利便性を向上することができる。また、第２通信部２２にて赤外線を用いた通信ｃ２を行うことで、送信すべき情報を機器端末３０ａに的確に送信することができる。また、第３通信部２３にて９２０ＭＨｚ帯の特定小電力無線を用いることで、電力消費量を削減することができる。
【００８５】
また、第２通信部２２は、第２通信方式を用いて、機器端末３０ａの通信設定に関する設定情報の通信を機器端末３０ａと行ってもよい。
【００８６】
このように設定用通信装置２０の第２通信部２２が第２通信方式の通信ｃ２を行うことで、機器端末３０ａの通信設定を簡易に行うことができる。
【００８７】
また、第３通信部２３は、第３通信方式を用いて、機器端末３０ａの通信設定または制御設定に関する設定情報の通信を機器端末３０ａと行ってもよい。
【００８８】
このように設定用通信装置２０の第３通信部２３が第３通信方式の通信ｃ３を行うことで、機器端末３０ａの通信設定または制御設定を簡易に行うことができる。
【００８９】
また、機器端末３０ａは、照明機器、照明コントローラ、空調機器、空調コントローラおよび人感センサの少なくとも１つであってもよい。
【００９０】
これによれば、設定用通信装置２０を用いて、照明機器、照明コントローラ、空調機器、空調コントローラおよび人感センサの各機器端末に応じた設定を簡易に行うことができる。
【００９１】
また、設定用通信装置２０は、さらに、所定の操作を受け付ける操作入力部２７を備え、第２通信部２２および第３通信部２３の少なくとも一方は、操作入力部２７が所定の操作を受け付けた後、機器端末３０ａと通信してもよい。
【００９２】
これによれば、設定用通信装置２０の所定の操作によって、機器端末３０ａに応じた設定を簡易に行うことができる。
【００９３】
また、設定用通信装置２０は、さらに、所定の操作を受け付ける操作入力部２７を備え、第２通信部２２および第３通信部２３の少なくとも一方は、操作入力部２７が所定の操作を受け付けた後、第１通信部２１が情報端末１０から送信された所定の情報を受信した場合に、機器端末３０ａと通信してもよい。
【００９４】
これによれば、設定用通信装置２０および情報端末１０を用いて、機器端末３０ａに応じた設定を簡易に行うことができる。
【００９５】
また、上記所定の情報は、操作入力部２７が所定の操作を受け付けたことを第１通信部２１が情報端末１０に通知することで、情報端末１０から第１通信部２１に送信されてもよい。
【００９６】
これによれば、設定用通信装置２０および情報端末１０を用いて、機器端末３０ａに応じた設定を確実に行うことができる。
【００９７】
また、設定用通信装置２０は、さらに、第１通信部２１を介して情報端末１０から取得した情報を記憶する記憶部２６を備えていてもよい。
【００９８】
これによれば、機器端末３０ａへ設定する設定情報を簡易に書き込んだり読み出したりすることができる。
【００９９】
また、第１通信部２１を介して取得した情報は、機器端末３０ａの通信設定または制御設定に関する設定情報を含んでいてもよい。
【０１００】
これによれば、機器端末３０ａの通信設定または制御設定に関する設定情報を簡易に書き込んだり読み出したりすることができる。
【０１０１】
また、第１通信方式、第２通信方式および第３通信方式にて送受信されるそれぞれの通信情報ｉｃ１、ｉｃ２、ｉｃ３に含まれる機器端末の制御コマンドは、共通性を有していてもよい。
【０１０２】
これによれば、異なる通信方式の間で行われるコマンドの変換プロセスを省略することができ、機器端末３０ａの制御設定を簡易に行うことができる。
【０１０３】
また、第１通信方式の通信プロトコルに基づいて作成される機器端末３０ａの制御コマンドは、第２通信方式または第３通信方式のそれぞれの通信プロトコルに基づいて作成される機器端末３０ａの制御コマンドと同じコマンドを含んでいてもよい。
【０１０４】
これによれば、異なる通信方式の間で行われるコマンドの変換プロセスを省略することができ、機器端末３０ａの制御設定を簡易に行うことができる。
【０１０５】
本実施の形態に係る通信システム１は、上記設定用通信装置２０と、機器端末３０ａと、情報端末１０とを備える。
【０１０６】
これによれば、機器端末３０ａに応じた設定を簡易に行うことができる通信システム１を提供することができる。
【０１０７】
また、本実施の形態に係る情報端末１０の制御方法は、上記設定用通信装置２０と通信する情報端末１０の制御方法であって、機器端末３０ａの通信設定または制御設定に関する設定情報を取得する取得ステップと、取得ステップにて取得した設定情報を記憶する記憶ステップとを含む。
【０１０８】
このように、情報端末１０に上記設定情報が記憶されることで、機器端末３０ａから上記設定情報を読み出して編集することができる。
【０１０９】
また、情報端末１０の制御方法は、さらに、記憶ステップにて記憶した設定情報を、第１通信方式を用いて設定用通信装置２０に送信するステップを含んでいてもよい。
【０１１０】
このように、設定情報を設定用通信装置２０に送信することで、設定用通信装置２０を用いて、機器端末３０ａに応じた設定を簡易に行うことができる。
【０１１１】
また、本実施の形態に係るプログラムは、上記情報端末１０の制御方法をコンピュータに実行させるためのプログラムを含む。
【０１１２】
このプログラムを用いて情報端末１０の制御方法を実行することで、設定用通信装置２０を用いて、機器端末３０ａに応じた設定を簡易に行うことができる。
【０１１３】
［６．第２実施例に係る通信システムの構成］
次に、実施の形態の第２実施例に係る通信システムの構成について、図１０および図１１を参照しながら説明する。第２実施例では、人感センサである機器端末３０ｃに通信設定等を行う例について説明する。
【０１１４】
図１０は、第２実施例に係る通信システム１が備える機器端末３０ａ、３０ｂ、３０ｃ、設定用通信装置２０および情報端末１０を示す概略図である。図１１は、通信システム１が備える機器端末３０ａ〜３０ｃ、設定用通信装置２０および情報端末１０を示すブロック構成図である。
【０１１５】
図１０および図１１に示すように、第２実施例の通信システム１は、情報端末１０と、設定用通信装置２０と、設備システム５とを備える。設備システム５は、複数の機器端末３０ａ〜３０ｃと、管理装置４０とを備える。
【０１１６】
管理装置４０は、各機器端末３０ａ〜３０ｃと有線によって接続されている。機器端末３０ｃは、各機器端末３０ａ、３０ｂに無線通信ｃ４で接続可能である。
【０１１７】
機器端末３０ｃは、人を検出し、照明機器である機器端末３０ａ、３０ｂを調光制御する機能を有している。機器端末３０ｃは、人を検知する入力部３７と、機器制御部３５と、機器通信部３１とを備えている。入力部３７および機器通信部３１のそれぞれは、機器制御部３５に接続されている。
【０１１８】
機器端末３０ｃの機器通信部３１は、設定用通信装置２０から送信された通信設定または制御設定に関する設定情報を受信する。
【０１１９】
入力部３７は、人を検出するための検出部である。入力部３７は、例えば、画像センサ、赤外線センサまたは熱センサである。
【０１２０】
機器端末３０ｃの機器制御部３５は、入力部３７に入力された情報に基づいて、機器端末３０ａ、３０ｂを制御する。また、上記機器制御部３５は、機器通信部３１にて受信した設定情報に基づいて、機器端末３０ｃの通信設定等を行う。具体的に上記機器制御部３５は、例えば、機器端末３０ｃと、機器端末３０ａ、３０ｂとのペアリング設定が行われる際、設定用通信装置２０から送信されたペアリング指示信号を取得する。これにより上記機器制御部３５は、機器端末３０ｃと機器端末３０ａ〜３０ｃとのペアリング設定を開始する。
【０１２１】
情報端末１０は、機器端末３０ａ〜３０ｃの通信設定または制御設定に関する設定情報を編集する携帯端末である。情報端末１０の制御部１５は、機器端末３０ｃの各種設定が行われる際に、通信部１１および設定用通信装置２０を介して機器端末３０ｃに、通信設定または制御設定に関する設定情報を送信する。例えば、ペアリング設定が行われる際、情報端末１０は、ペアリング指示信号を機器端末３０ｃに送信する。
【０１２２】
設定用通信装置２０は、情報端末１０にて編集された設定情報を、機器端末３０ｃに対応した通信方式を用いて機器端末３０ｃに送信する設定器である。
【０１２３】
第１通信部２１は、情報端末１０と第１通信方式で通信ｃ１を行うことが可能である。第２通信部２２は、機器端末３０ｃと第２通信方式で通信ｃ２を行うことが可能である。第３通信部２３は、機器端末３０ｃと第３通信方式で通信ｃ３を行うことが可能である。
【０１２４】
装置制御部２５は、機器端末３０ｃの各種設定が行われる際に、情報端末１０から送信された設定情報を受け取り、瞬時に、受け取った設定情報を機器端末３０ｃに転送する。例えば、機器端末３０ｃにペアリング設定が行われる際、装置制御部２５は、情報端末１０から受け取ったペアリング指示信号を機器端末３０ｃに送信する。
【０１２５】
具体的には、装置制御部２５は、操作入力部２７がユーザから所定の操作を受け付けた後、前述した受付信号を、第１通信部２１を介して情報端末１０に送信する。情報端末１０は、受付信号を受信すると、メモリに記憶された設定情報を設定用通信装置２０に送信する。そして装置制御部２５は、第１通信部２１を介して受信した設定情報を、第２通信部２２を介して機器端末３０ｃに送信する。
【０１２６】
次に、第２実施例の通信システム１の動作について説明する。
【０１２７】
図１２は、第２実施例に係る通信システム１の動作を示すシーケンス図である。図１３は、情報端末１０に表示される画像を示す図である。
【０１２８】
通信システム１は、情報端末１０、設定用通信装置２０および複数の機器端末３０ａ〜３０ｃを備えている。情報端末１０は、設定用通信装置２０と通信確立し、設定用通信装置２０が所定の操作を受け付けたか否かを監視する状態となっている。
【０１２９】
まず、情報端末１０の表示入力部１７に、図１３の（ａ）に示すように、設定用通信装置２０に対する操作入力を促す画面が表示される。具体的にはユーザに促す画面として、設定用通信装置２０を、通信設定等の設定対象である機器端末に向け、その後、設定用通信装置２０の操作入力部２７を押すように促す画面が表示される。この画面を見たユーザは、図１２に示すように、情報端末１０および設定用通信装置２０を、設定対象である機器端末３０ｃの下に移動させる。
【０１３０】
次に、設定用通信装置２０の操作入力部２７が押されると、操作入力部２７が操作されたことを示す受付信号が情報端末１０に送信される（通信ｃ１）。情報端末１０は、受付信号を受け付けると、機器端末３０ｃに関する設定情報（例えばペアリング準備情報）を設定用通信装置２０に送信する（通信ｃ１）。
【０１３１】
設定用通信装置２０は、この設定情報を受け付けると、設定情報を機器端末３０ｃに送信する（通信ｃ２）。そして、機器端末３０ｃは、図１３の（ｂ）に示すように、受け付けた設定情報に基づいて機器端末３０ａ、３０ｂから通信アドレスを収集する（無線通信ｃ４）。機器端末３０ａ、３０ｂは、通信アドレスを収集する指示を受け付けると、各自の通信アドレスを機器端末３０ｃに返信する。機器端末３０ｃは、返信された通信アドレスを設定用通信装置２０に送信する（通信ｃ３）。さらに設定用通信装置２０は、受信した機器端末３０ａ、３０ｂの通信アドレスを情報端末１０に転送する（通信ｃ１）。これにより、図１３の（ｃ）に示すように、情報端末１０の画面に、機器端末３０ｃと通信可能な機器端末が表示される。
【０１３２】
この画面にてユーザは、機器端末３０ｃとペアリングさせるべき機器端末を選択する。機器端末を選択すると、情報端末１０の表示入力部１７に、設定用通信装置２０に対する操作入力を促す画面が再び表示される。ここで設定用通信装置２０の操作入力部２７が押されると、操作入力部２７が操作されたことを示す受付信号が情報端末１０に送信される（通信ｃ１）。情報端末１０は、受付信号を受け付けると、機器端末３０ｃに関する設定情報（例えばペアリング指示情報）を設定用通信装置２０に送信する（通信ｃ１）。設定用通信装置２０は、この設定情報を受け付けると、設定情報を機器端末３０ｃに送信する（通信ｃ２）。
【０１３３】
そして、機器端末３０ｃは、図１３の（ｅ）に示すように、受け付けた設定情報に基づいて機器端末３０ａ、３０ｂとのペアリングを実行する（無線通信ｃ４）。ペアリングが終了すると、機器端末３０ｃは、ペアリングが終了したことを通知する終了信号を設定用通信装置２０に送信し（通信ｃ３）、設定用通信装置２０は、受信した終了信号を情報端末１０に転送する（通信ｃ１）。これにより、図１３の（ｆ）に示すように、情報端末１０に、ペアリング設定が終了したことが表示される。
【０１３４】
このように、実施例２の設定用通信装置２０は、情報端末１０と第１通信方式で通信する第１通信部２１と、設備システム５に含まれる機器端末３０ｃと第１通信方式とは異なる第２通信方式で通信する第２通信部２２と、機器端末３０ｃと第１通信方式および第２通信方式のいずれとも異なる第３通信方式で通信する第３通信部２３とを備えている。
【０１３５】
例えば、この設定用通信装置２０によれば、情報端末１０にて編集された通信設定および制御設定に関する設定情報を、第１通信方式にて受け取り、第２通信方式にて機器端末３０ｃに送信することが可能となる。また、その後において、第３通信方式にて上記設定情報を簡易に変更することが可能となる。これにより、機器端末３０ｃに応じた設定を簡易に行うことができる。
【０１３６】
［７．第３実施例に係る通信システムの構成］
次に、実施の形態の第３実施例に係る通信システムの概略構成について、図１４および図１５を参照しながら説明する。第３実施例では、第２実施例で示した機器端末３０ｃの代わりに、機器端末３０ｄに制御設定等を行う例について説明する。機器端末３０ｄは、例えば壁スイッチである。
【０１３７】
図１４は、第３実施例に係る通信システム１が備える機器端末３０ａ、３０ｂ、３０ｄ、設定用通信装置２０および情報端末１０を示す概略図である。図１５は、通信システム１が備える機器端末３０ａ、３０ｂ、３０ｄ、設定用通信装置２０および情報端末１０を示すブロック構成図である。
【０１３８】
図１４および図１５に示すように、第３実施例の通信システム１は、情報端末１０と、設定用通信装置２０と、設備システム５とを備える。設備システム５は、複数の機器端末３０ａ、３０ｂ、３０ｄと、管理装置４０とを備える。
【０１３９】
管理装置４０は、各機器端末３０ａ、３０ｂ、３０ｄと有線によって接続されている。機器端末３０ｄは、各機器端末３０ａ、３０ｂと有線で接続されている。また、機器端末３０ｄは、設定用通信装置２０と２線式の有線で接続されている。
【０１４０】
機器端末３０ｄは、機器端末３０ａ、３０ｂの電源をオンオフするスイッチである。機器端末３０ｄは、電源のオンオフを切り替える入力部３７と、機器制御部３５と、機器通信部３１とを備えている。入力部３７および機器通信部３１のそれぞれは、機器制御部３５に接続されている。
【０１４１】
機器端末３０ｄの機器通信部３１は、設定用通信装置２０から送信された制御設定等に関する設定情報を受信する。入力部３７は、例えば、スナップスイッチまたは切り替えボタンである。機器端末３０ｄの機器制御部３５は、入力部３７に入力された情報に基づいて、機器端末３０ａ、３０ｂを制御する。また、上記機器制御部３５は、機器通信部３１にて受信した設定情報に基づいて機器端末３０ｄの制御設定等を行う。
【０１４２】
情報端末１０は、機器端末３０ａ、３０ｂ、３０ｄの制御設定に関する設定情報を編集する携帯端末である。情報端末１０の制御部１５は、機器端末３０ｄの各種設定が行われる際に、通信部１１および設定用通信装置２０を介して機器端末３０ｄに制御設定等に関する設定情報を送信する。
【０１４３】
設定用通信装置２０は、情報端末１０にて編集された設定情報を、機器端末３０ｄに対応した通信方式を用いて機器端末３０ｄに送信する設定器である。
【０１４４】
第１通信部２１は、情報端末１０と第１通信方式で通信ｃ１を行うことが可能である。第２通信部２２は、赤外線送信部２２ａおよび赤外線受信部２２ｂを有し、機器端末３０ｄと第２通信方式で通信ｃ２を行うことが可能である。第３通信部２３は、無線通信部２３ａおよび有線通信部２３ｂを有し、機器端末３０ｃと第３通信方式で通信ｃ３を行うことが可能である。第３実施例の第３通信部２３は、無線および有線の両方のモジュールを有している。
【０１４５】
装置制御部２５は、機器端末３０ｄの各種設定が行われる際に、情報端末１０から送信された設定情報を受け取り、瞬時に、受け取った設定情報を機器端末３０ｄに転送する。例えば、機器端末３０ｄに制御設定が行われる際、装置制御部２５は、情報端末１０から受け取った制御設定信号を機器端末３０ｄに送信する。
【０１４６】
具体的には、装置制御部２５は、操作入力部２７がユーザから所定の操作を受け付けた後、前述した受付信号を、第１通信部２１を介して情報端末１０に送信する。情報端末１０は、受付信号を受信すると、メモリに記憶された設定情報を設定用通信装置２０に送信する。そして装置制御部２５は、第１通信部２１を介して受信した設定情報を、第２通信部２２を介して機器端末３０ｄに送信する。
【０１４７】
このように、実施例３の設定用通信装置２０は、情報端末１０と第１通信方式で通信する第１通信部２１と、設備システム５に含まれる機器端末３０ｄと第１通信方式とは異なる第２通信方式で通信する第２通信部２２と、機器端末３０ｄと第１通信方式および第２通信方式のいずれとも異なる第３通信方式で通信する第３通信部２３とを備えている。
【０１４８】
例えば、この設定用通信装置２０によれば、情報端末１０にて編集された通信設定および制御設定に関する設定情報を、第１通信方式にて受け取り、第２通信方式にて機器端末３０ｃに送信することが可能となる。また、その後において、第３通信方式（有線）にて上記設定情報を簡易に変更することが可能となる。これにより、機器端末３０ｄに応じた設定を簡易に行うことができる。
【０１４９】
また、第１通信部２１は、２．４ＧＨｚ帯または５ＧＨｚ帯の周波数を用いた第１通信方式で通信を行い、第２通信部２２は、赤外線を用いた第２通信方式で通信を行い、第３通信部２３は、有線を用いた第３通信方式で通信を行ってもよい。
【０１５０】
例えば、第１通信部２１にて２．４ＧＨｚ帯または５ＧＨｚ帯の周波数を用いた通信ｃ１を行うことで、情報端末１０および設定用通信装置２０の間で情報を交換する際の利便性を向上することができる。また、第２通信部２２にて赤外線を用いた通信ｃ２を行うことで、送信すべき情報を機器端末３０ｄに的確に送信することができる。また、第３通信部２３にて有線通信を行うことで、ノイズの影響を受けにくくなり、送信すべき情報を機器端末３０ｄに的確に送信することができる。
【０１５１】
（情報端末に表示される画像の例）
次に、情報端末１０に表示される画像の例について、図１６〜図２４を用いながら説明する。なお、図１６〜図２４では、設定用通信装置２０を設定器として、情報端末１０をスマートフォンとして、機器端末３０ｃを調光センサとして、機器端末３０ａ、３０ｂを照明器具として表記している。
【０１５２】
まず、情報端末（スマートフォン）１０と設定用通信装置（設定器）２０との通信確立を行う場面について説明する。
【０１５３】
図１６は、情報端末１０に表示される画像の一例を示す図である。図１６は、図８の画像が表示される前に、情報端末１０に表示される画像である。なお、図１６の（ｃ）に示すホーム画面は、図８の画像の後にも表示され得る。
【０１５４】
スマートフォンのアプリケーションソフトが起動されると、通信Ｉ／Ｆ（インターフェース）である設定器の電源を確認し、電源が入っていない場合は電源を入れることをユーザに促す画像が表示される。設定器の電源が入っている状態で、スマートフォンにて「接続設定を開始する」を選択する入力を受け付けると、スマートフォンの通信ｃ１（例えばＢｌｕｅｔｏｏｔｈ（登録商標））がオンになっているか否かをユーザに確認させる画像が表示される。スマートフォンの通信ｃ１がオンになっている状態で、所定の操作を受け付けると、図１６の（ａ）に示すように、設定器の番号（またはアドレス、名称）が表示される。そして、スマートフォンに表示された設定器の番号の中から、スマートフォンに接続すべき設定器を選択する。これにより、スマートフォンと設定器とが第１通信方式により通信確立する。
【０１５５】
スマートフォンと設定器との通信が確立されると、図１６の（ｂ）に示すように、スマートフォンに「データ保存・管理」という画像が表示される。ここで「データを新規作成」を選択する入力を受け付けると、図１６の（ｃ）に示すホーム画面が表示される。また、図１６（ｂ）で「直前のデータを使用」を選択する入力を受け付けると、直前に使用した設定データを適用した後に、図１６の（ｃ）に示すホーム画面が表示される。また、図１６（ｂ）で「スマートフォン本体から」や「設定器から」を選択する入力を受け付けると、スマートフォン本体や設定器に保存された設定データを選択させる画面を表示させ、選択された設定データを適用した後に、図１６の（ｃ）に示すホーム画面が表示される。なお、保存されている設定データが１つしかない場合には、設定データを選択させる画面を省略してもよい。
【０１５６】
次に、ホーム画面から設定用通信装置（設定器）２０に関する情報を示す場面について説明する。
【０１５７】
図１７は、情報端末１０に表示される画像の一例を示す図である。図１８は、図１７の情報端末１０の画面に表示されるマークを示す図である。図１７および図１８は、図８の画像が表示される前に、情報端末１０に表示される画像である。なお、図１７および図１８に示すホーム画面は、図８の画像の後にも表示され得る。
【０１５８】
スマートフォンと設定器とが通信確立されている場合において、図１７の（ａ）に示す「設定器との接続状態：接続済」を選択する入力を受け付けると、スマートフォンの画面には、設定器の電池残量およびアプリケーションソフトのソフトウェアバージョンに関する情報が表示される。これにより、ユーザは設定器の電池残量およびソフトウェアバージョンに関する情報を知ることができる。また、スマートフォンと設定器とが接続中であるときは、図１８に示すように「設定器との接続状態：接続済」の文字の横に、電池残量を示すマークが表示されるので、ユーザはこのマークによっても設定器の電池残量に関する情報を知ることができる。なお、ユーザが設定器の置かれている場所を把握していない場合は、例えば、設定器の画面にて「設定器を探す」を選択する入力を受け付けると、設定器から「ピピー」という電子音が複数回鳴動される。これにより、ユーザは設定器の置かれている場所を知ることができる。
【０１５９】
スマートフォンと設定器とが通信確立されていない場合において、図１７の（ｂ）に示す「設定器との接続状態：未接続」を選択する入力を受け付けると、スマートフォンの画面に「接続」アイコンが表示される。画面上の「接続」アイコンが押圧されると、再度、スマートフォンと設定器との接続が試行される。
【０１６０】
次に、ホーム画面からデータの保存および機器端末の保守を行う場面について説明する。
【０１６１】
図１９および図２０は、情報端末１０に表示される画像の一例を示す図である。図１９および図２０は、図８の画像が表示される前に、情報端末１０に表示される画像である。なお、図１９の（ａ）に示すホーム画面は、図８の画像の後にも表示され得る。
【０１６２】
スマートフォンにて図１９の（ａ）に示す「データ保存・管理」を選択する入力を受け付けると、図１９の（ｂ）に示すように「データ保存・管理」の画面に移行する。この画面にて「設定器から」を選択する入力を受け付けると、設定器からデータを読み出すメニューへ移行し、「設定器へ」を選択する入力を受け付けると、設定器へデータを保存するメニューへ移行する。
【０１６３】
一方、スマートフォンにて図１９の（ａ）に示す「保守」を選択する入力を受け付けると、スマートフォンの画面には、図１９の（ｃ）に示すように照明器具等の保守を行うための画面が表示される。例えばこの画面上において「器具動作確認」を選択する入力を受け付けると、照明器具の明るさを変えることができるスライドバーが表示される。ユーザは、スライダーバーを使って照明器具の動作確認を行うことができる。
【０１６４】
また図１９の（ｃ）において、「器具初期化」を選択する入力を受け付けると、照明器具の設定を工場出荷時に戻すための画面が表示される。「無線出力停止」を選択する入力を受け付けると、調光センサの無線出力を一時的に停止するための画面が表示される。「調光センサデータ復旧」を選択する入力を受け付けると、調光センサの設定データを保存状態に復旧するための画面が表示される。「設定モード解除」を選択する入力を受け付けると、調光センサの設定モードを解除するための画面が表示される。「無線ペアリング強制消去」を選択する入力を受け付けると、無線ペアリングを強制消去するための画面が表示される。
【０１６５】
また、図１９の（ｃ）および図２０の（ａ）に示す保守画面にて「機器番号チェック」を選択する入力を受け付けると、図２０の（ｂ）に示すように、調光センサ番号および調光回路番号の状態を確認するための画面が表示される。図２０の（ｂ）にて「空きチェック」を選択する入力を受け付けると、図２０の（ｃ）に示すように、調光センサ番号および調光回路番号のそれぞれについて、未使用の番号の数および未使用番号が表示される。図２０の（ｂ）にて「重複チェック」を選択する入力を受け付けると、図２０の（ｄ）に示すように、重複している調光回路の数、重複している調光回路の番号、および、その調光回路に含まれる調光センサ番号が表示される。
【０１６６】
次に、機器端末３０ｃ（調光センサ）の通信設定を行う場面について説明する。
【０１６７】
図２１および図２２は、情報端末１０に表示される画像の一例を示す図である。なお、図２１は、図８の画像が表示される前に、情報端末１０に表示される画像である。なお、図２１の（ａ）に示すホーム画面は、図８の画像の後にも表示され得る。
【０１６８】
スマートフォンにて、図２１の（ａ）に示す「調光センサ設定」を選択する入力を受け付けると、スマートフォンには、図２１の（ｂ）に示すように、設定器の「通信」ボタン（操作入力部）の操作入力を促す画像が表示される。「通信」ボタンが押圧されると、設定器は、赤外線を用いた通信ｃ２により調光センサと通信する。「通信」ボタンは、例えば操作入力部２７である。
【０１６９】
スマートフォンの画面には、図２１の（ｃ）に示すように、調光センサと照明器具との通信ｃ４に使用される周波数が表示される。スマートフォンにて「ＯＫ」を選択する入力を受け付けると、図２１の（ｄ）に示す画面が表示される。図２１の（ｄ）の画面中の「無線ペアリング設定」を選択する入力を受け付けると、図２１の（ｅ）に示す調光回路ＩＤの選択に入る。この画面にて例えば「調光回路ＩＤ  １」を選択する入力を受け付けると、図２１の（ｆ）に示すように、「調光回路ＩＤ  １」に対応する照明器具の設定を変更する画像が表示される。
【０１７０】
ここで図２２の（ａ）に示すように「調光回路ＩＤ変更」を選択する入力を受け付けると、図２２の（ｂ）に示すように、複数の照明器具の識別番号が行列状に並ぶ画像が表示される。この画面上にて「調光回路ＩＤ  １」に対応する照明器具が選択され、「登録する」を選択する入力を受け付けると、「調光回路ＩＤ  １」に対応する照明器具が登録される。
【０１７１】
一方、図２２の（ａ）に示す「追加」を選択する入力を受け付けると、図２２の（ｃ）に示すペアリングの設定画面に入る。この設定画面にて「確実設定（赤外あり）」を選択する入力を受け付けると、スマートフォンには、図２２の（ｄ）に示すように、設定器の「通信」ボタンの操作入力を促す画像が表示される。「通信」ボタンが押圧されると、設定器は、赤外線を用いた通信ｃ２により照明器具と通信する。
【０１７２】
ペアリングすべき複数の照明器具に対してこれらの操作を順次行い、操作が全て終了すると、図２２の（ｄ）に示す「終了」というアイコンが表示され、「終了」を選択する入力を受け付けると、図２２の（ｅ）に示すように「調光回路ＩＤ  １」に対応する照明器具の識別番号が表示される。そしてスマートフォンにて「ペアリング実行」を選択する入力を受け付けると、調光センサと照明器具とのペアリングが実行される。
【０１７３】
次に、照明器具を調光制御するための制御アドレス設定を行う場面について説明する。例えば、照明器具の調光制御を有線通信のシステムで行う場合は、調光センサおよび照明器具のペアリング設定を行うとともに、有線通信における制御アドレス設定を行う必要がある。なお、有線通信は、例えば多重伝送方式による照明器具等の負荷の制御形態であって、２つの信号線を用いてアドレスの送受信を行いながら負荷を制御する形態等を用いることができる。
【０１７４】
図２３は、情報端末１０に表示される画像の一例を示す図である。
【０１７５】
図２３の（ａ）に示すように、スマートフォンにて「制御アドレス設定」を選択する入力を受け付けると、図２３の（ｂ）に示すように、制御アドレスの設定を行うための画面が表示される。制御アドレスの設定を行うべき系統１の「調光制御」のスライドバーがオンに切り替えられると、図２３の（ｃ）に示すように、系統１の制御アドレスの書き込み画面が表示される。ここで、図２３の（ｄ）に示すように「００−２」という制御アドレスが書き込まれ、「設定」を選択する入力を受け付けると、系統１の制御アドレスの設定入力が終了する。なおその際、他の調光回路またはターミナルユニットと重複しない制御アドレスを書き込む必要がある。次に、図２３の（ｅ）に示す「設定内容を送信」を選択する入力を受け付けると、スマートフォンにて設定入力された制御アドレスが、照明器具および管理装置４０に設定される。
【０１７６】
次に、機器端末（照明器具）３０ａの照度制御設定を行う場面について説明する。
【０１７７】
図２４は、情報端末１０に表示される画像の一例を示す図である。
【０１７８】
まず、図２４の（ａ）に示すように「照度制御設定」を選択する入力を受け付けると、スマートフォンは、図２４の（ｂ）に示すように調光センサとペアリングしている照明器具の情報を取得する。そして、図２４の（ｃ）に示すように「点灯開始」を選択する入力を受け付けると、調光センサとペアリングしている照明器具が点灯する。図２４の（ｄ）には、照明器具が何ルクスで点灯しているかが表示されている。そして「ＯＫ」を選択する入力を受け付けると、図２４の（ｅ）に示すように照度を調整するための画面が表示される。この画面上で、目標とする照度、および、上限下限の調光率を調整入力することが可能である。図２４の（ｅ）に示すように「設定内容を送信」を選択する入力を受け付けると、スマートフォンにて設定入力したこれらの照度制御設定が、照明器具および管理装置４０に設定される。
【０１７９】
（その他の形態）
以上、設定用通信装置、通信システム、情報端末の制御方法およびプログラムについて、実施の形態に基づいて説明したが、本開示は、上記の実施の形態に限定されるものではない。例えば、上記の実施の形態に対して当業者が思いつく各種変形を施して得られる形態や、本開示の趣旨を逸脱しない範囲で実施の形態における構成要素および機能を任意に組み合わせることで実現される形態も本開示に含まれる。
【０１８０】
本実施の形態の第２通信方式は、赤外線通信に限られず、レーザ光またはＮＦＣ（Ｎｅａｒ  Ｆｉｅｌｄ  Ｃｏｍｍｕｎｉｃａｔｉｏｎ）など１対１で対応をとることが可能な通信方式であってもよい。
【０１８１】
また、設定用通信装置は、図２５および図２６に示す外観を有していてもよい。
【０１８２】
また、上記実施の形態のフローチャートで説明された処理の順序は、一例である。複数の処理の順序は変更されてもよいし、複数の処理は並行して実行されてもよい。
【０１８３】
また、上記実施の形態において、制御部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１８４】
また、制御部などの構成要素は、ハードウェアによって実現されてもよい。例えば、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１８５】
また、本開示の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラムおよび記録媒体の任意な組み合わせで実現されてもよい。
【０１８６】
例えば、本開示は、上記実施の形態の情報端末が行う処理をコンピュータに実行させるためのプログラムとして実現されてもよい。このようなプログラムには、スマートフォンまたはタブレット端末などの携帯端末にインストールされるアプリケーションプログラムが含まれる。また、本開示は、このようなプログラムが記録されたコンピュータ読み取り可能な非一時的な記録媒体として実現されてもよい。
【符号の説明】
【０１８７】
１    通信システム
５    設備システム
１０  情報端末
２０  設定用通信装置
２１  第１通信部
２２  第２通信部
２３  第３通信部
２６  記憶部
２７  操作入力部
３０ａ、３０ｂ、３０ｃ、３０ｄ  機器端末
ｃ１  第１通信方式の通信
ｃ２  第２通信方式の通信
ｃ３  第３通信方式の通信
ｃ４  無線通信
ｉｃ１、ｉｃ２、ｉｃ３  通信情報
【図１】
2020077624.tif 000003
【図２】
2020077624.tif 000004
【図３】
2020077624.tif 000005
【図４】
2020077624.tif 000006
【図５】
2020077624.tif 000007
【図６】
2020077624.tif 000008
【図７】
2020077624.tif 000009
【図８】
2020077624.tif 000010
【図９】
2020077624.tif 000011
【図１０】
2020077624.tif 000012
【図１１】
2020077624.tif 000013
【図１２】
2020077624.tif 000014
【図１３】
2020077624.tif 000015
【図１４】
2020077624.tif 000016
【図１５】
2020077624.tif 000017
【図１６】
2020077624.tif 000018
【図１７】
2020077624.tif 000019
【図１８】
2020077624.tif 000020
【図１９】
2020077624.tif 000021
【図２０】
2020077624.tif 000022
【図２１】
2020077624.tif 000023
【図２２】
2020077624.tif 000024
【図２３】
2020077624.tif 000025
【図２４】
2020077624.tif 000026
【図２５】
2020077624.tif 000027
【図２６】
2020077624.tif 000028